(57)【要約】【課題】  容易に記憶媒体の脱着を行うことができる再生装置を提供することを目的とする。【解決手段】  カードリーダー２２をオーディオ装置１内部の下面に設けられたメイン基板２５に取り付け、ＣＤを挿入するＣＤ挿入口下面２ａにメモリカード２０を備えた導光体２１を挿入するメモリカード挿入口３を設けたことにより、ＣＤを挿入する際にメモリカード２０を読み込むカードリーダー２２が邪魔することなく、容易にＣＤをＣＤ挿入口２へ挿入することができる。【選択図】              図２
2005128813.tif 000002
【特許請求の範囲】
【請求項１】
第１の記憶媒体を挿入する開口部を備えた再生装置において、
該開口部の内周下面に形成した、第２の記憶媒体を差し込むための差込穴と、
前記開口部の下方に、前記第２の記憶媒体が差し込まれる受け部を前記差込穴に向けて配置した前記第２の記憶媒体のデータを読み込む読み込み部とを備え、
前記第２の記憶媒体を前記差込穴を介して前記読み込み部の受け部へ差し込むことを特徴とする再生装置。
【請求項２】
光源と、
前記第２の記憶媒体を保持可能であり、前記光源からの光を導光可能な導光体とを備え、
前記差込穴は前記導光体の外周と整合するよう形成され、
前記第２の記憶媒体を保持した該導光体を前記差込穴に差し込んで保持している前記第２の記憶媒体を前記読み込み部の受け部へ差し込み、前記導光体によって前記光源からの光を前記開口部へ導光することを特徴とする請求項１記載の再生装置。
【請求項３】
前記差込穴が設けられる前記開口部の内周下面を前下がりに傾斜させて、開口縁の上下幅を内方より広くし、前記第２の記憶媒体または前記第２の記憶媒体を保持した導光体を前記差込穴に差し込む時に、前記第２の記憶媒体または導光体が前記開口部の上面に接触しないように構成したことを特徴とする請求項１または２記載の再生装置。
【請求項４】
前記第２の記憶媒体はメモリカードであることを特徴とする請求項１から３のいずれか１に記載の再生装置。
【請求項５】
前記第１の記憶媒体は、ＣＤ、ＤＶＤ、ＭＤ、カセットテープのいずれかであることを特徴とする請求項１から４のいずれか１に記載の再生装置。
【請求項６】
前記差込穴に、前記導光体の差し込み時に該導光体をガイドするガイド部が備えられていることを特徴とする請求項１から５のいずれか１に記載の再生装置。
【請求項７】
第１の記憶媒体が挿入される常時開口した開口部を備えた再生装置において、
前記開口部の内周下面に設けられた差込穴から、前記開口部の下方に設けられ、第２の記憶媒体のデータを読み込む読み込み部の受け部に前記第２の記憶媒体を差し込んで取り付け、
該第２の記憶媒体を再生装置から取り外すときは、前記第２の記憶媒体を前記読み込み部側へ押し込んで該読み込み部による第２の記憶媒体のロックを解除させて、把持可能に前記第２の記憶媒体を差込穴から突出させることを特徴とする再生装置における記憶媒体の脱着方法。
【発明の詳細な説明】
【技術分野】
【０００１】
本発明は、記憶媒体を再生する再生装置および再生装置における記憶媒体の脱着方法に関する。
【背景技術】
【０００２】
従来音楽等を再生する再生装置として、ＣＤやＭＤ等の既存の記憶媒体に加えて、小型で薄型のメモリカードに記憶させた音楽を再生可能な車両用オーディオ装置がある。このようなオーディオ装置にメモリカードを挿入するためには、前面パネルにメモリカードの挿入口を設ける必要があるが、音量ダイヤルなど各種のスイッチ類が前面パネルに設けられているため、挿入口のスペースの確保が難しかった。これを解決するオーディオ装置として、たとえば特開２００２−３５１１９６号公報に記載されたようなものがある。このオーディオ装置は、装置本体の前面部にＣＤ穴を塞ぐ開閉パネルを備え、この開閉パネルにメモリカードスロットを設けてメモリカードを挿入するようにしていた。
【特許文献１】特開２００２−３５１１６９号公報
【発明の開示】
【発明が解決しようとする課題】
【０００３】
しかしながら、このような従来のオーディオ装置においては、本体前面部の開閉パネルにメモリカードスロットを設け、該スロットにメモリカードを挿入する構成となっているため、たとえばＣＤ等を挿入する際には、開閉パネルを開けてＣＤスロットを表出させてＣＤを挿入しなければならず、ＣＤの交換がわずらわしいといった問題があった。
【０００４】
そこで本発明はこのような問題点に鑑み、容易に記憶媒体の脱着を行うことを目的とする。
【課題を解決するための手段】
【０００５】
本発明は、第２の記憶媒体を読み込む読み込み部を、第１の記憶媒体を挿入する開口部の下方に設け、開口部の内周下面に設けられた差込穴を介して第２の記憶媒体を差し込むことによって、読み込み部に設けられた受け部に第２の記憶媒体を差し込み可能とした。
【発明の効果】
【０００６】
本発明によれば、第２の記憶媒体を読み込む読み込み部を、第１の記憶媒体を挿入する開口部の下方に設けたので、第２の記憶媒体や読み込み部を動かすことなく、容易に第１の記憶媒体を挿入することができる。
【発明を実施するための最良の形態】
【０００７】
次に本発明の実施の形態を実施例により説明する。
図１は、本実施例におけるオーディオ装置の前面部を示す斜視図である。
オーディオ装置１は、前面部１ａ上方にＣＤ３０を挿入するＣＤ挿入口２と、挿入したＣＤ３０を排出するためのＣＤイジェクトボタン１０、前面部１ａ下方にたとえば曲の順番や再生経過時間等を表示する表示部５と、表示部５の表示画面の輝度や音質を調整する輝度音質調整ダイヤル６と、ダイヤルを回転させて音量を調節したりダイヤルを押すことによってオーディオ装置１の電源のオン／オフを切替える音量ダイヤル８とより構成される。
【０００８】
さらにオーディオ装置１の前面部１ａに、ＦＭラジオ、ＡＭラジオ、ＣＤ、メモリカードのどれを再生させるかの再生モードを選択するモード選択スイッチ群４と、早送りや巻き戻し、選曲などの操作を行うための選曲スイッチ群７と、再生モードとしてＦＭやＡＭラジオが選択されている際に周波数を選択するためのＴＵＮＥ選択スイッチ９とを備える。
内部にメモリカード保持用溝２１ａが設けられた導光体２１にメモリカード２０を差し込み、メモリカード２０が差し込まれた導光体２１を、オーディオ装置１の斜め上方からＣＤ挿入口２の下面に設けられたメモリカード挿入口３に挿入する。
【０００９】
図２は、メモリカード挿入口まわりの断面図である。
オーディオ装置１内部の下面にメイン基板２５を備え、メイン基板２５に表示部５が取り付けられている。表示部５の背面側（図中右側）には、メモリカード２０を差し込みデータを読み込むためのカードリーダー２２がメイン基板２５に取り付けられている。またカードリーダー２２は、メモリカード２０を差し込むためのカード受け部２２ａを、ＣＤ挿入口２の下面に設けられたメモリカード挿入口３に向けて取り付けられている。
【００１０】
メモリカード挿入口３には、その開口側壁をカードリーダー２２側へ伸ばして、ガイド部３ａが形成され、メモリカード挿入口３に導光体２１を差し込む際に、導光体２１をがたつきなくカードリーダー２２の方向へ案内する。
前面部１ａの背面には、図３に示すように光源スイッチ用基板２３がメイン基板２５から立ち上げて取り付けられている。また光源スイッチ用基板２３は表示部５とＣＤ挿入口２に対応する位置が切りかかれており、前面部１ａ側から見た際に略Ｈ形状となっている。
【００１１】
また光源スイッチ用基板２３は、メモリカード挿入口３に導光体２１を挿入した際に導光体２１の側面と対応する位置に光源２４が取り付けられている。
光源２４を発光させた場合に、光が導光体２１の側面に入射し、該入射した光が導光体２１の上端面に導かれて、該上端面から光源２４の光が送出される。
【００１２】
次にカードリーダー２２に差し込まれたメモリカード２０を取り出す際の動作について図２，４を用いて説明する。
カードリーダー２２は図示しないロック機構とメモリカード排出用のバネを備えるものである。
カードリーダー２２のカード受け部２２ａにメモリカード２０が差し込まれると、ロック機構によってメモリカード２０が保持され、図２に示されるように導光体２１の上端面とＣＤ挿入口下面２ａの面とが同一面となる。
【００１３】
メモリカード２０を排出する際には、図４の（ａ）に示されるように導光体２１の上端面を押具２６で押しこんで、メモリカード２０をカードリーダー２２へより深く差し込む。
これによってロック機構によるメモリカード２０の保持が解除され、また同時にメモリカード排出用のバネが圧縮される。
押具２６を上方に戻すことによって、図４の（ｂ）に示されるように排出用バネの反力によってメモリカード２０がカードリーダー２２から押し出され、導光体２１の上端部がＣＤ挿入口下面２ａよりも飛び出す。利用者は飛び出した導光体２１の上端部をつまんでメモリカード２０を引き抜くことができる。
【００１４】
なお本実施例において、ＣＤ３０が本発明における第１の記憶媒体を、メモリカード２０が本発明における第２の記憶媒体を構成する。またＣＤ挿入口２が本発明における開口部を構成し、メモリカード挿入口３が本発明における差込穴を構成する。カードリーダー２２が本発明における読み込み部を構成する。
【００１５】
本実施例は以上のように構成され、カードリーダー２２をオーディオ装置１内部の下面に設けられたメイン基板２５に取り付け、カードリーダー２２のカード受け部２２ａをＣＤ３０を挿入するＣＤ挿入口２の下方に設けたことにより、ＣＤ３０を挿入する際にメモリカード２０を読み込むカードリーダー２２を動かすことなく、容易にＣＤ３０をＣＤ挿入口２へ挿入することができる。
また、光源２４からの光を導光体２１によってオーディオ装置１の前面に導光することによって、メモリカードの挿入口の見栄えや視認性をよくすることができる。
【００１６】
またＣＤ挿入口２のＣＤ挿入口下面２ａを、オーディオ装置１の前面側が低くなるように傾斜させることによって、メモリカード２０を備えた導光体２１をメモリカード挿入口３に挿入または取り出す際に、他に接触することなく容易に挿入または取り出し可能となる。
【００１７】
さらにメモリカード挿入口３にガイド部３ａを設けたことにより、導光体２１をメモリカード挿入口３に挿入時に導光体２１がガイドされることによって、メモリカード２０をカード受け部２２ａにがたつき無く確実に差し込むことができる。
なお導光体２１を用いない場合には、カードリーダー２２に差し込まれたメモリカード２０を取り出す際に、カードリーダー２２に備えられた排出用バネの反力によってメモリカード２０の上端部をＣＤ挿入口下面２ａよりも飛び出させる。これにより導光体２１を用いない場合にも、ＣＤ挿入口下面２ａより飛び出したメモリカード２０の上端部をつまんでメモリカード挿入口３からメモリカード２０を取り出すことができる。
本実施例は再生装置としてＣＤを再生するオーディオ装置に適用した例を示したが、本発明はＤＶＤ、ＭＤやカセットテープなど他の記憶媒体を再生する他の再生装置にも適用することができる。
【図面の簡単な説明】
【００１８】
【図１】本実施例におけるオーディオ装置を示す図である。
【図２】メモリカード挿入口まわりの断面図である
【図３】オーディオ装置の内部構成を示す図である。
【図４】メモリカードを取り出す際の各部の動作を示す図である。
【符号の説明】
【００１９】
１    オーディオ装置
２    ＣＤ挿入口
２ａ    ＣＤ挿入口下面
３    メモリカード挿入口
３ａ    ガイド部
４    モード選択スイッチ群
５    表示部
６    輝度音質調整ダイヤル
７    選曲スイッチ群
８    音量ダイヤル
９    ＴＵＮＥ調整スイッチ
１０    ＣＤイジェクトボタン
２０    メモリカード
２１    導光体
２２    カードリーダー
２２ａ    カード受け部
２３    光源スイッチ用基板
２４    光源
２５    メイン基板
２６    押具
３０    ＣＤ
【図１】
2005128813.tif 000003
【図２】
2005128813.tif 000004
【図３】
2005128813.tif 000005
【図４】
2005128813.tif 000006